(57)【要約】【課題】            簡単に組立及び解体を行うことができる金網用部品およびそれを用いた金網、フェンスを提供すること。【解決手段】        嵌合して金網を形成するためのものであって、凹部１と凸部２とが交互に連続した線状の形態を有することを特徴とする金網用部品10。この金網用部品10の凸部２を別の金網用部品の凸部２の内側に嵌挿して、当該金網用部品10を複数勘合することにより金網を形成することができる。また、当該金網を支柱で支持すればフェンスを形成することができる。【選択図】          図１
2011140045.tif 000002
【特許請求の範囲】
【請求項１】
嵌合して金網を形成するための金網用部品であって、
凹部と凸部とが交互に連続した線状の形態を有することを特徴とする金網用部品。
【請求項２】
前記凸部の先端側の幅が基部側よりも広く形成されていることを特徴とする請求項１記載の金網用部品。
【請求項３】
幅の異なる２種類以上の前記凸部を有することを特徴とする請求項１又は２記載の金網用部品。
【請求項４】
前記凸部の幅が一端側から他端側に向けて狭く形成されることを特徴とする請求項３記載の金網用部品。
【請求項５】
前記凹部及び凸部は、金網用部品本体の長手方向に対して傾斜していることを特徴とする請求項１記載の金網用部品。
【請求項６】
請求項１ないし５のいずれかに記載の金網用部品を複数嵌合してなることを特徴とする金網。
【請求項７】
請求項１ないし５のいずれかに記載の金網用部品を複数勘合してなる金網と、
間隔を空けて設置され、前記金網を支持する支柱と、
を具備することを特徴とするフェンス。
【発明の詳細な説明】
【技術分野】
【０００１】
本発明は、金網用部品およびそれを用いた金網、フェンスに関する。
【背景技術】
【０００２】
従来から、敷地の境界や安全の確保、獣害対策のために金網等によるフェンスが用いられている。このフェンス等に用いられる金網は、線材等を菱形や亀甲形に編んだり、溶接して組み立てられる（例えば、特許文献１参照）。
【先行技術文献】
【特許文献】
【０００３】
【特許文献１】特開２００２−１４２６５４
【発明の概要】
【発明が解決しようとする課題】
【０００４】
しかしながら、従来の金網は、線材を組み立てるのが面倒で時間が掛かるという問題があった。また、簡単に解体することができないという問題もあった。そこで本発明は、簡単に組立を行うことができる金網用部品およびそれを用いた金網、フェンスを提供することを目的とする。
【課題を解決するための手段】
【０００５】
本発明の金網用部品は、嵌合して金網を形成するためのものであって、凹部と凸部とが交互に連続した線状の形態を有することを特徴とする。
【０００６】
この場合、前記凸部の先端側の幅が基部側よりも広く形成されていても良い。
【０００７】
また、幅の異なる２種類以上の前記凸部を有するように形成しても良く、例えば、前記凸部の幅が一端側から他端側に向けて狭くなるように形成される。
【０００８】
また、前記凹部及び凸部の側辺は、金網用部品本体の長手方向に対して傾斜させた形状にしても良い。
【０００９】
また、本発明の金網は、上述した本発明の金網用部品を複数嵌合してなることを特徴とする。
【００１０】
また、本発明のフェンスは、上述した本発明の金網用部品を複数嵌合してなる金網と、間隔を空けて設置され、前記金網を支持する支柱と、を具備することを特徴とする。
【発明の効果】
【００１１】
本発明の金網用部品をこのように形成することにより、金網用部品同士を簡単に嵌合することができるので、溶接や結束を必要とせず、所望の大きさの金網やフェンスを短時間で容易に組み立てることができる。また、嵌合の仕方により、曲げにも自在に対応可能な金網を形成することができる。また、金網の平面を構成する線に結び目や切れ目が無く安全である。
【図面の簡単な説明】
【００１２】
【図１】本発明の金網用部品を示す正面図である。
【図２】本発明の金網を示す正面図である。
【図３】本発明の傾斜地用の金網用部品を示す正面図である。
【図４】本発明の傾斜地用金網を示す正面図である。
【図５】本発明の傾斜地用の角度可変金網用部品を示す正面図である。
【図６】本発明の傾斜地用角度可変金網を示す正面図である。
【図７】本発明の傾斜地用角度可変金網を示す正面図である。
【図８】本発明の別の金網用部品を示す正面図である。
【図９】本発明の別の金網を示す正面図である。
【発明を実施するための形態】
【００１３】
本発明の金網用部品10は、嵌合して金網20を形成するためのものであって、凹部１と凸部２とが交互に連続した線状の形態を有するものである。
【００１４】
金網用部品10の材質は、金網やフェンスとしての強度や耐久性を有するものであればどのようなものでも良く、鉄やアルミ、銅等の金属の他、プラスチック等種々の材料を用いることができる。また、適宜、亜鉛等によるメッキなどの表面処理が施されていても良い。
【００１５】
金網用部品10の凸部２は、その内側に別の金網用部品の凸部を嵌挿可能な空間が形成される。例えば、図１に示すように、一本の線材や棒材等を凹部１と凸部２とが交互に連続した矩形波状に形成すれば良い。なお、凹部１と凸部２とが交互に連続した線状の形態にできるものであれば、線材や棒材以外の形状でも良く、例えば板状のものを用いることも可能である。
【００１６】
このように形成した金網用部品は、図２に示すように、金網用部品10の凸部２の内側に別の金網用部品10の凸部２を挿入して嵌合することで金網20を形成することができる。また、間隔を空けて設置された支柱を用い、当該金網20を固定具等で支柱に固定すれば、フェンスを形成することができる。
【００１７】
このように本発明の金網用部品は、溶接や他の部品を用いた結束等が不要であり、また、延長方向にエンドレスにつなげることが可能であるため、所望の大きさの金網やフェンスを短時間で容易に組み立てることができる。また、金網の平面を構成する線に結び目や切れ目が無く、安全である。したがって、動物の檻や柵等にも適している。
【００１８】
また、金網20は、金網用部品10の挿入元側の面に曲げることができるので、シャッターや門扉等にも応用できる。なお、凸部２の挿入は、他の金網用部品の凸部の表側、裏側のどちらから挿入しても良い。したがって、金網を表側及び裏側に自由に曲げることが可能となり、必要に応じて自由に金網を設置することができる。
【００１９】
また、金網やフェンスを設置する場所が傾斜しているような場合には、図３に示すように、設置場所の傾斜に合わせて、矩形波状の凹部１Ａと凸部２Ａの側辺５を金網用部品10Ａの長手方向に対して傾斜させた形状にしても良い。このように形成した金網用部品10Ａを複数嵌合すれば、図４に示すように、金網20Ａを傾斜に対応した形にすることができる。
【００２０】
金網用部品の当該形状はどのように形成しても良いが、例えば金属を用いる場合には、線材をプレス加工により形成することができる。また、プラスチック等を用いる場合には、射出成型等により形成すれば良い。
【００２１】
なお、凸部２の先端３側の幅Ｘは使用目的に応じて、どのような大きさに形成しても良い。また、凸部２の基部４側の幅Ｙは、金網20を形成した際には、少なくとも線材の太さ分だけ凸部２の先端３側の幅Ｘよりも狭くなるが、金網用部品10単体としては、弾性変形可能な範囲で、凸部２の先端側の幅Ｘよりも広くしても良い。この場合、凸部２の先端３を別の金網用部品10の凸部内側に斜めに挿入すると嵌合し易い。
【００２２】
また、金網用部品10Ｂは、図５に示すように、凸部２Ｂの先端３側の幅Ｘが基部４側の幅Ｙよりも広い台形状に形成しても良い。金網用部品10Ｂの凹部１Ｂと凸部２Ｂをこのように形成すれば、金網用部品10Ｂを嵌合した際に、金網用部品10同士を金網用部品10の長手方向にＸとＹの差だけずらすことができる（図６、図７参照）。したがって、金網20Ｂを設置する場所が傾斜している場合や、平坦でない場合などにも、地面の形状に合わせて角度を変えることができ、金網20Ｂやフェンスを簡単に設置することができる。なお、金網やフェンスを設置する際には、金網用部品10Ｂ同士のずれを防止する係止具を設けても良い。係止具としては、例えば金網用部品10Ｂ同士を固定するものや、杭で地面に対して固定するものを用いれば良い。
【００２３】
また、金網用部品は、幅の異なる２種類以上の凸部を形成しても良い。これにより、所望の部分の編み目を小さくして補強等することができるという効果がある。また、金網は、野ウサギ・イノシシ・クマ・シカ等による獣害対策に用いられることがあるが、この場合には、凸部の幅が一端側から他端側に向けて狭くなるように形成することもできる。例えば、図８に示すように、凸部２Ｃ１の幅をＸ１、２Ｃ２の幅をＸ２、２Ｃ３の幅をＸ３、２Ｃ４の幅をＸ４とし、Ｘ１＞Ｘ２＞Ｘ３＞Ｘ４とする。これにより、図９に示すように、地面から高いところには大きな編み目を形成し、地面近くには小さい編み目を形成することができるので、害獣の体の大きさの大小に合わせた効果的な獣害対策用の金網20Ｃを形成することができる。
【産業上の利用可能性】
【００２４】
本発明は、敷地の境界や安全の確保、害獣対策のための金網やフェンスの分野に利用することができる。
【符号の説明】
【００２５】
１  凹部
１Ａ  凹部
１Ｂ  凹部
２  凸部
２Ａ  凸部
２Ｂ  凸部
２Ｃ１、２Ｃ２、２Ｃ３、２Ｃ４  凸部
３  先端
４  基部
10  金網用部品
10Ａ  金網用部品
10Ｂ  金網用部品
10Ｃ  金網用部品
20Ａ  金網
20Ｂ  金網
20Ｃ  金網
Ｘ  凸部の先端側の幅
Ｙ  凸部の基部側の幅
Ｘ１、Ｘ２、Ｘ３、Ｘ４  凸部の先端側の幅
【図１】
2011140045.tif 000003
【図２】
2011140045.tif 000004
【図３】
2011140045.tif 000005
【図４】
2011140045.tif 000006
【図５】
2011140045.tif 000007
【図６】
2011140045.tif 000008
【図７】
2011140045.tif 000009
【図８】
2011140045.tif 000010
【図９】
2011140045.tif 000011